(57)【特許請求の範囲】
【請求項１】
車両本体（２）に鋼滓を収納する鋼滓鍋（４）を載置可能とする載置台（５）を備えた鋼滓を搬送する鋼滓用ダンプトラックにおいて、
車両本体（２）に鋼滓鍋（４）の側面中央上部のピン（１３）に揺動自在に係合可能となる鍋支持用アーム（２０）を回転自在に取り付け、この鍋支持用アーム（２０）に鋼滓鍋（４）の側面中央下部に形成した溝部（１５）に係合可能となる突出自在の突出ピン（１４）を備えた鍋転倒用レバー（２２）を回転自在に取り付けると共に、鍋支持用アーム（２０）を回転するホイストシリンダ（１７）を車両本体（２）と鍋支持用アーム（２０）とにわたって取り付け、鍋支持用アーム（２０）に対して鍋転倒用レバー（２２）を回転する回転用シリンダ（２８）を鍋支持用アーム（２０）と鍋転倒用レバー（２２）とにわたって取り付けたことを特徴とする鋼滓用ダンプトラックにおける鋼滓鍋移動装置。
【請求項２】
車両本体（２）に鋼滓を収納する鋼滓鍋（４）を載置可能とする載置台（５）を備えた鋼滓を搬送する鋼滓用ダンプトラックにおいて、
車両本体（２）に鋼滓鍋（４）の側面中央上部のピン（１３）に揺動自在に係合可能となる鍋支持用アーム（３２）を回転自在に取り付け、この鍋支持用アーム（３２）に鋼滓鍋（４）の側面中央下部に形成した溝部（１５）に係合可能となる突出自在の突出ピン（１４）を備えた鍋転倒用レバー（３４）を回転自在に取り付けると共に、鍋支持用アーム（３２）を回転するホイストシリンダ（１７）を車両本体（２）と鍋支持用アーム（３２）とにわたって取り付け、鍋支持用アーム（３２）に対して鍋転倒用レバー（３４）を回転する回転用ロッド（３７）を車両本体（２）と鍋転倒用レバー（３４）とにわたって取り付けたことを特徴とする鋼滓用ダンプトラックにおける鋼滓鍋移動装置。
【発明の詳細な説明】
【０００１】
【発明の属する技術分野】
本発明は、製鉄所において鋼滓を搬送する鋼滓用ダンプトラックにおける鋼滓を収納する鋼滓鍋を移動する鋼滓鍋移動装置に関する。
【０００２】
【従来の技術】
従来、製鉄所において鋼滓を搬送する鋼滓用ダンプトラックとしては、図１に示すように、タイヤ１を有した車両本体２の前部に運転室３を備え、この車両本体２の後部に鋼滓を収納する鋼滓鍋４を載置可能とする載置台５を備えると共に、後端部にアウトリガー６を装着していた。
【０００３】
そして、この車両本体２の後部に載置台５に載置する鋼滓鍋４を移動する鋼滓鍋移動装置を備えており、この鋼滓鍋移動装置としては、車両本体２の後端部に左右一対の鍋支持用アーム１０をピン１１を介して回転自在に取り付け、この鍋支持用アーム１０は、その基端側を車両本体２に取り付けると共に、その先端側に湾曲状の窪み部１２を形成して、この窪み部１２を鋼滓鍋４の側面中央上部に固着したピン１３に揺動自在に係合可能とし、また、中間より分岐してレバー状に延びて、このレバー状に延びた箇所に突出自在となる突出ピン１４を備えて、この突出ピン１４が鋼滓鍋４の側面中央下部に形成した円筒状の溝部１５に係合可能とすると共に、レバー状に延びた先端側において連結棒１６により左右の当該鍋支持用アーム１０を連結していた。
【０００４】
一方、車両本体２の後部の左右それぞれにホイストシリンダ１７を後方に向けて回転自在に取り付け、このホイストシリンダ１７のシリンダロッド１８を前記鍋支持用アーム１０の基端側に固着するブラケット１９に回転自在に取り付けて、このホイストシリンダ１７の伸縮動作により鍋支持用アーム１０を回転するようにしていた。
【０００５】
このような構成により、前記突出ピン１４を鋼滓鍋４の溝部１５に向かって突出して係合した状態で、前記ホイストシリンダ１７を延ばすと、図２に示すように、前記鍋支持用アーム１０がピン１１を中心にして回転し、鋼滓鍋４を車両本体２の載置台５より後方へ回転移動するようにし、この時、鋼滓鍋４自体は鍋支持用アーム１０の突出ピン１４に係合する溝部１５を中心にして鋼滓鍋４の回転移動に連動して回転することで、鋼滓鍋４の中に収納した鋼滓を排出するようにしていた。
【０００６】
一方、前記突出ピン１４を突出させずに鋼滓鍋４の溝部１５と係合しない状態で、前記ホイストシリンダ１７を延ばすと、図３に示すように、前記鍋支持用アーム１０がピン１１を中心にして回転し、鋼滓鍋４を車両本体２の載置台５より後方へ回転移動するようにし、この時、鋼滓鍋４自体は回転することなく単に後方へ移動するようになり、地上に鋼滓鍋４を載置できるようにしていた。
【０００７】
【発明が解決しようとする課題】
従来の鋼滓用ダンプトラックにおける鋼滓鍋移動装置にあっては、鋼滓鍋の中に収納した鋼滓を排出する際、ホイストシリンダの伸縮動作により鍋支持用アームを回転して鋼滓鍋を後方へ回転移動すると共に、これに連動して鋼滓鍋自体も回転していたが、鍋支持用アームの回転はホイストシリンダの伸縮動作によって回転するため、ホイストシリンダの伸縮動作する方向と鍋支持用アームの取り付け位置とが干渉し、構造上どうしても大きな回転を行うことができず、具体的には１１０度から１２０度程度しか回転することができず、鋼滓鍋の後方への回転移動も１１０度から１２０度程度しか回転移動することができず、これにより、鋼滓鍋の回転移動に連動する鋼滓鍋自体の回転も略同程度しか回転することができなかった。このため、鋼滓鍋を真っ逆様にすることができず、鋼滓鍋の底等にへばりついた鋼滓がなかなか落下せずに鋼滓の排出ができなくなるといった問題が生じるおそれがあった。
本発明は、これらの問題を解消して、鋼滓鍋の中に収納した鋼滓を確実に排出できるようにすることを、その課題としている。
【０００８】
【課題を解決するための手段及び作用効果】
第一の発明は、車両本体に鋼滓を収納する鋼滓鍋を載置可能とする載置台を備えた鋼滓を搬送する鋼滓用ダンプトラックにおいて、車両本体に鋼滓鍋の側面中央上部のピンに揺動自在に係合可能となる鍋支持用アームを回転自在に取り付け、この鍋支持用アームに鋼滓鍋の側面中央下部に形成した溝部に係合可能となる突出自在の突出ピンを備えた鍋転倒用レバーを回転自在に取り付けると共に、鍋支持用アームを回転するホイストシリンダを車両本体と鍋支持用アームとにわたって取り付け、鍋支持用アームに対して鍋転倒用レバーを回転する回転用シリンダを鍋支持用アームと鍋転倒用レバーとにわたって取り付けた鋼滓用ダンプトラックにおける鋼滓鍋移動装置である。
【０００９】
第一の発明によれば、回転用シリンダにより鍋支持用アームに対して鍋転倒用レバーを回転して、鋼滓鍋を真っ逆様の状態にすることで、鋼滓鍋の中の鋼滓を確実に排出することができる。
しかも、状況に合わせて必要時のみ回転用シリンダを動かして鋼滓鍋を真っ逆様の状態にすることで、不要な動作を行うのをなくして、鋼滓の排出作業を効率良く行えるようにすることができる。
【００１０】
第二の発明は、車両本体に鋼滓を収納する鋼滓鍋を載置可能とする載置台を備えた鋼滓を搬送する鋼滓用ダンプトラックにおいて、車両本体に鋼滓鍋の側面中央上部のピンに揺動自在に係合可能となる鍋支持用アームを回転自在に取り付け、この鍋支持用アームに鋼滓鍋の側面中央下部に形成した溝部に係合可能となる突出自在の突出ピンを備えた鍋転倒用レバーを回転自在に取り付けると共に、鍋支持用アームを回転するホイストシリンダを車両本体と鍋支持用アームとにわたって取り付け、鍋支持用アームに対して鍋転倒用レバーを回転する回転用ロッドを車両本体と鍋転倒用レバーとにわたって取り付けた鋼滓用ダンプトラックにおける鋼滓鍋移動装置である。
【００１１】
第二の発明によれば、回転用ロッドにより鍋支持用アームに対して鍋転倒用レバーを回転して、鋼滓鍋を真っ逆様の状態にすることで、鋼滓鍋の中の鋼滓を確実に排出することができる。
しかも、ホイストシリンダの動作のみで、鍋支持用アームを回転すると共に、回転用ロッドによる鍋支持用アームに対する鍋転倒用レバーを同時に回転することができ、わざわざ別に動力源を設ける必要もなく、これを安価に提供することができる。
【００１２】
【発明の実施の形態】
この発明の第一の実施の形態について、図４を用いて説明する。
鋼滓用ダンプトラックとしては、タイヤ１を有した車両本体２の前部に運転室３を備え、この車両本体２の後部に鋼滓を収納する鋼滓鍋４を載置可能とする載置台５を備えると共に、後端部にアウトリガー６を装着する。
【００１３】
そして、この車両本体２の後部に鋼滓鍋移動装置を備えており、この鋼滓鍋移動装置としては、車両本体２の後端部に左右一対の鍋支持用アーム２０をピン２１を介して回転自在に取り付け、この鍋支持用アーム２０は、その基端側を車両本体２に取り付けてこの基端側から先端側に向かって幅広となり、その先端側に湾曲状の窪み部１２を形成して、この窪み部１２を鋼滓鍋４の側面中央上部に固着したピン１３に揺動自在に係合可能とする。そして、この鍋支持用アーム２０の先端側に略へ字形となる左右一対の鍋転倒用レバー２２の一端側をピン２３を介して回転自在に取り付け、この鍋転倒用レバー２２は図５に示すように、一端側を厚み方向において二枚に分けており、この二枚に分けた間に鍋支持用アーム２０を介在すると共に、略へ字形に屈曲した箇所に突出自在となる突出ピン１４を備えて、この突出ピン１４を鍋転倒用レバー２２に横向きに固着する突出用シリンダ２４の作動によってＬ型アーム２５を介して突出したり、戻したりするようにして、突出した際に鋼滓鍋４の側面中央下部に形成した円筒状の溝部１５に当該突出ピン１４が係合するようにしている。また、この鍋転倒用レバー２２の他端側においては連結棒２６により左右の当該鍋転倒用レバー２２を連結して、左右の動きを連動するようにしている。
【００１４】
一方、車両本体２の後部の左右それぞれにホイストシリンダ１７を後方に向けて回転自在に取り付け、このホイストシリンダ１７のシリンダロッド１８を前記鍋支持用アーム２０の基端側に固着するブラケット２７に回転自在に取り付けて、このホイストシリンダ１７の伸縮動作により鍋支持用アーム２０を回転するようにしている。また、前記鍋支持用アーム２０の基端側に固着するブラケット２７に回転用シリンダ２８をピン２９を介して回転自在に取り付け、この回転用シリンダ２８のシリンダロッド３０を前記鍋転倒用レバー２２における略へ字形に屈曲した箇所にピン３１を介して回転自在に取り付けて、この回転用シリンダ２８の伸縮動作により鍋支持用アーム２０に対して鍋転倒用レバー２２を回転するようにしている。
【００１５】
このような構成により、前記突出ピン１４を鋼滓鍋４の溝部１５に向かって突出して係合した状態で、前記ホイストシリンダ１７を延ばすと、図６に示すように、前記鍋支持用アーム２０がピン２１を中心にして回転し、鋼滓鍋４を車両本体２の載置台５より後方へ回転移動するようになり、この時、鋼滓鍋４自体は鍋転倒用レバー２２の突出ピン１４に係合する溝部１５を中心にして鋼滓鍋４の回転移動に連動して回転することで、鋼滓鍋４をある程度の角度、具体的には地面に対して６０度から７０度程度まで回転して、鋼滓を排出する。そして、この状態から前記回転用シリンダ２８を延ばすと、図７に示すように、鍋支持用アーム２０に対して鍋転倒用レバー２２が回転し、鋼滓鍋４自体もこれに連動して回転するようになり、鋼滓鍋４を真っ逆様の状態にして、鋼滓を排出する。
【００１６】
なお、前記突出ピン１４を突出させずに鋼滓鍋４の溝部１５と係合しない状態で、前記ホイストシリンダ１７を延ばすと、従来と同様、前記鍋支持用アーム２０が回転して、鋼滓鍋４を後方へ回転移動するが、鋼滓鍋４自体は回転することなく単に後方へ移動するようになり、地上に鋼滓鍋４を載置できるようにしている。
【００１７】
このように、鋼滓鍋４の中に収納した鋼滓を排出する際、まずホイストシリンダ１７により鍋支持用アーム２０を回転して鋼滓鍋４自体をある程度の角度まで回転して鋼滓を排出し、ここで排出できない鋼滓が残っていると、さらに、回転用シリンダ２８により鍋支持用アーム２０に対して鍋転倒用レバー２２を回転して、鋼滓鍋４を真っ逆様の状態にすることで、鋼滓鍋４の中の鋼滓を確実に排出することができる。
また、ホイストシリンダ１７によって鍋支持用アーム２０を回転し、鋼滓鍋４自体をある程度の角度まで回転して、鋼滓を排出し、この時、すべての鋼滓が排出できない時のみ、回転用シリンダ２８を動かして鋼滓鍋４を真っ逆様の状態にして、鋼滓を排出することにより、状況に合わせて必要時のみ回転用シリンダ２８を動かすことで、不要な動作を行うのをなくして、鋼滓の排出作業を効率良く行えるようにすることができる。
【００１８】
次に、この発明の第二の実施の形態について、図８を用いて説明する。
鋼滓用ダンプトラックとしては、前述した第一の実施の形態と同様、タイヤ１を有した車両本体２の前部に運転室３を備え、この車両本体２の後部に鋼滓を収納する鋼滓鍋４を載置可能とする載置台５を備えると共に、後端部にアウトリガー６を装着する。
【００１９】
そして、この車両本体２の後部に鋼滓鍋移動装置を備えており、この鋼滓鍋移動装置としては、車両本体２の後端部に左右一対の鍋支持用アーム３２をピン３３を介して回転自在に取り付け、この鍋支持用アーム３２は、その基端側を車両本体２に取り付けてこの基端側から先端側に向かって幅広となり、その先端側に湾曲状の窪み部１２を形成して、この窪み部１２を鋼滓鍋４の側面中央上部に固着したピン１３に揺動自在に係合可能とする。そして、この鍋支持用アーム３２の先端側に平坦三角形となる左右一対の鍋転倒用レバー３４の一端側をピン３５を介して回転自在に取り付け、この鍋転倒用レバー３４の長手方向略中間に鋼滓鍋４の側面に向かって突出自在となる突出ピン１４を備えて、この突出ピン１４を鍋転倒用レバー３４に横向きに固着する突出用シリンダ２４の作動によってＬ型アーム２５を介して突出したり、戻したりするようにして、突出した際に鋼滓鍋４の側面中央下部に形成した円筒状の溝部１５に当該突出ピン１４が係合するようにしている。また、この鍋転倒用レバー３４の他端側においては連結棒２６により左右の当該鍋転倒用レバー３４を連結して、左右の動きを連動するようにしている。
【００２０】
一方、車両本体の後部の左右それぞれにホイストシリンダ１７を後方に向けて回転自在に取り付け、このホイストシリンダ１７のシリンダロッド１８を前記鍋支持用アーム３２の基端側に固着するブラケット３６に回転自在に取り付けて、このホイストシリンダ１７の伸縮動作により鍋支持用アーム３２を回転するようにしている。また、前記車両本体２の後端部における前記鍋支持用アーム３２を取り付けた位置の上方に回転用ロッド３７の一端をピン３８を介して回転自在に取り付け、この回転用ロッド３７の他端を前記鍋転倒用レバー３４の一端側における鍋支持用アーム３２との取り付け位置よりさらに端側にピン３９を介して回転自在に取り付けて、回転用ロッド３７により鍋支持用アーム３２に対して鍋転倒用レバー３４を回転するようにしている。これは、ホイストシリンダ１７の伸縮動作により鍋支持用アーム３２を回転すると、鍋転倒用レバー３４においてはピン３３を中心に回転する鍋支持用アーム３２によって動くと共に、この鍋支持用アーム３２とずれた位置にあるピン３８を中心に回転する回転用ロッド３７によっても動くようになり、このずれにより鍋支持用アーム３２に対して鍋転倒用レバー３４が回転するようになるものである。
【００２１】
このような構成により、前記突出ピン１４を鋼滓鍋４の溝部１５に向かって突出して係合した状態で、前記ホイストシリンダ１７を延ばすと、図９に示すように、前記鍋支持用アーム３２がピン３３を中心にして回転し、鋼滓鍋４を車両本体２の載置台５より後方へ回転移動するようになり、この時、鋼滓鍋４自体は鍋転倒用レバー３４の突出ピン１４に係合する溝部１５を中心にして鋼滓鍋４の回転移動に連動して回転すると共に、回転用ロッド３７により鍋支持用アーム３２に対して鍋転倒用レバー３４が回転することで、鍋支持用アーム３２による鋼滓鍋４の回転移動以上に鋼滓鍋４自体が大きく回転するようになり、鋼滓鍋４を真っ逆様の状態にして、鋼滓を排出するようになる。
【００２２】
このように、鋼滓鍋４の中に収納した鋼滓を排出する際、ホイストシリンダ１７により鍋支持用アーム３２を回転して鋼滓鍋４自体を回転すると共に、回転用ロッド３７により鍋支持用アーム３２に対して鍋転倒用レバー３４が回転することにより、鍋支持用アーム３２による鋼滓鍋４の回転移動以上に鋼滓鍋４自体を大きく回転して、鋼滓鍋４を真っ逆様の状態にすることで、鋼滓鍋４の中の鋼滓を確実に排出することができる。
また、ホイストシリンダ１７の動作のみで、鍋支持用アーム３２を回転すると共に、回転用ロッド３７による鍋支持用アーム３２に対する鍋転倒用レバー３４を同時に回転することができ、わざわざ別に動力源を設ける必要もなく、これを安価に提供することができる。
【図面の簡単な説明】
【図１】従来の鋼滓鍋移動装置を示す側面図である。
【図２】従来の鋼滓鍋移動装置の動作を説明する側面図である。
【図３】従来の鋼滓鍋移動装置の動作を説明する側面図である。
【図４】本発明による鋼滓鍋移動装置を示す側面図である。
【図５】本発明による鋼滓鍋移動装置の一部を説明する斜視図である。
【図６】本発明による鋼滓鍋移動装置の動作を説明する側面図である。
【図７】本発明による鋼滓鍋移動装置の動作を説明する側面図である。
【図８】本発明による他の鋼滓鍋移動装置を示す側面図である。
【図９】本発明による他の鋼滓鍋移動装置の動作を説明する側面図である。
【符号の説明】
１…タイヤ、
２…車両本体
３…運転室
４…鋼滓鍋
５…載置台
６…アウトリガー
１０…鍋支持用アーム
１１…ピン
１２…窪み部
１３…ピン
１４…突出ピン
１５…溝部
１６…連結棒
１７…ホイストシリンダ
１８…シリンダロッド
１９…ブラケット
２０…鍋支持用アーム
２１…ピン
２２…鍋転倒用レバー
２３…ピン
２４…突出用シリンダ
２５…Ｌ型アーム
２６…連結棒
２７…ブラケット
２８…回転用シリンダ
２９…ピン
３０…シリンダロッド
３１…ピン
３２…鍋支持用アーム
３３…ピン
３４…鍋転倒用レバー
３５…ピン
３６…ブラケット
３７…回転用ロッド
３８…ピン
３９…ピン
【図１】
0003763440.tif 000002
【図２】
0003763440.tif 000003
【図３】
0003763440.tif 000004
【図４】
0003763440.tif 000005
【図５】
0003763440.tif 000006
【図６】
0003763440.tif 000007
【図７】
0003763440.tif 000008
【図８】
0003763440.tif 000009
【図９】
0003763440.tif 000010